(57)【特許請求の範囲】
【請求項１】
少なくとも二つのレンチキュラー装置を具備するセキュリティ装置であって、
各々のレンチキュラー装置が、画像ストリップのそれぞれの組の上に配設された細長いレンチキュラー合焦要素の配列を有し、前記二つのレンチキュラー装置のレンチキュラー合焦要素が延在する細長い方向が異なっており、
前記細長い方向は直交しており、
当該セキュリティ装置が二つのレンチキュラー装置を有し、該二つのレンチキュラー装置は、少なくとも一つの観察条件において観察されるとき、例えば垂直に観察されるとき、各レンチキュラー装置からの画像部分によって作り上げられた認識可能な画像を観察者の肉眼に与え、画像ストリップがそれぞれの画像部分の種々のビューを画成し、このことによって、当該セキュリティ装置が前記二つのレンチキュラー装置のうちのいずれか一方の前記細長い方向に対して平行な軸線回りに傾けられると、前記それぞれの画像部分が横方向に動くように見えるのに対して、他方の画像部分が静止したままである、セキュリティ装置。
【請求項２】
少なくとも二つのレンチキュラー装置を具備するセキュリティ装置であって、
各々のレンチキュラー装置が、画像ストリップのそれぞれの組の上に配設された細長いレンチキュラー合焦要素の配列を有し、前記二つのレンチキュラー装置のレンチキュラー合焦要素が延在する細長い方向が異なっており、
前記画像ストリップがレリーフ構造によって画成される、セキュリティ装置。
【請求項３】
前記細長い方向が直交している、請求項２に記載のセキュリティ装置。
【請求項４】
前記二つのレンチキュラー装置が、互いに近接して構成され、好ましくは互いと当接する、請求項２又は３に記載のセキュリティ装置。
【請求項５】
当該セキュリティ装置が前記レンチキュラー装置の細長い方向に対して平行な軸線回りに傾けられると、一つ以上の前記レンチキュラー装置が一連の異なる画像を与える、請求項２〜４のいずれか１項に記載のセキュリティ装置。
【請求項６】
当該セキュリティ装置が前記レンチキュラー装置の細長い方向に対して平行な軸線回りに傾けられると、一つ以上の前記レンチキュラー装置が動画の外観を与える、請求項２〜５のいずれか１項に記載のセキュリティ装置。
【請求項７】
当該セキュリティ装置が二つのレンチキュラー装置を有し、該二つのレンチキュラー装置は、少なくとも一つの観察条件において観察されるとき、例えば垂直に観察されるとき、各レンチキュラー装置からの画像部分によって作り上げられた認識可能な画像を観察者の肉眼に与え、画像ストリップがそれぞれの画像部分の種々のビューを画成し、このことによって、当該セキュリティ装置が前記二つのレンチキュラー装置のうちのいずれか一方の前記細長い方向に対して平行な軸線回りに傾けられると、前記それぞれの画像部分が横方向に動くように見えるのに対して、他方の画像部分が静止したままである、請求項２に記載のセキュリティ装置。
【請求項８】
前記認識可能な画像が、記号、図形又は文字のうちの一つを含む、請求項１又は７に記載のセキュリティ装置。
【請求項９】
前記画像ストリップが前記レンチキュラー合焦要素に登録される、請求項１〜８のいずれか１項に記載のセキュリティ装置。
【請求項１０】
前記画像ストリップがインクによって画成される、請求項１〜９のいずれか１項に記載のセキュリティ装置。
【請求項１１】
前記画像ストリップがレリーフ構造によって画成される、請求項１に記載のセキュリティ装置。
【請求項１２】
前記レリーフ構造が回折格子構造を含む、請求項１１に記載のセキュリティ装置。
【請求項１３】
各画像ストリップの幅が、５０μｍ未満であり、好ましくは２０μｍ未満であり、最も好ましくは５〜１０μｍの範囲内である、請求項１〜１２のいずれか１項に記載のセキュリティ装置。
【請求項１４】
前記レンチキュラー合焦要素がシリンドリカルレンズ又はマイクロミラーを具備する、請求項１〜１３のいずれか１項に記載のセキュリティ装置。
【請求項１５】
前記レンチキュラー合焦要素配列が、５〜２００μｍ、好ましくは１０〜６０μｍ、最も好ましくは２０〜４０μｍの範囲内の周期性を有する、請求項１〜１４のいずれか１項に記載のセキュリティ装置。
【請求項１６】
請求項１〜１５のいずれか１項に記載のセキュリティ装置が提供された物品であって、
前記物品が、紙幣、小切手、パスポート、ＩＤカード、内容証明書、収入印紙、及び価値を保護するための他の文書、又は個人ＩＤから選択されたものであり、
前記物品が、前記レンチキュラー合焦要素及び画像ストリップがそれぞれ設けられる基材の反対側に、透明部分を備えた基材を具備する、物品。
【請求項１７】
セキュリティ装置を製造する方法であって、
当該方法が少なくとも二つのレンチキュラー装置を提供することを含み、各レンチキュラー装置が、画像ストリップのそれぞれの組の上に配設された細長いレンチキュラー合焦要素の配列を有し、前記二つのレンチキュラー装置のレンチキュラー合焦要素が延在する細長い方向が異なっており、
前記細長い方向が直交しており、
前記セキュリティ装置が二つのレンチキュラー装置を有し、該二つのレンチキュラー装置は、少なくとも一つの観察条件において観察されるとき、例えば垂直に観察されるとき、各レンチキュラー装置からの画像部分によって作り上げられた認識可能な画像を観察者の肉眼に与え、画像ストリップがそれぞれの画像部分の種々のビューを画成し、このことによって、前記セキュリティ装置が前記二つのレンチキュラー装置のうちのいずれか一方の前記細長い方向に対して平行な軸線回りに傾けられると、前記それぞれの画像部分が横方向に動くように見えるのに対して、他方の画像部分が静止したままである、方法。
【請求項１８】
セキュリティ装置を製造する方法であって、
当該方法が少なくとも二つのレンチキュラー装置を提供することを含み、各レンチキュラー装置が、画像ストリップのそれぞれの組の上に配設された細長いレンチキュラー合焦要素の配列を有し、前記二つのレンチキュラー装置のレンチキュラー合焦要素が延在する細長い方向が異なっており、
前記画像ストリップがレリーフ構造によって画成される、方法。
【請求項１９】
前記細長い方向が直交している、請求項１８に記載の方法。
【請求項２０】
前記セキュリティ装置が二つのレンチキュラー装置を有し、該二つのレンチキュラー装置は、少なくとも一つの観察条件において観察されるとき、例えば垂直に観察されるとき、各レンチキュラー装置からの画像部分によって作り上げられた認識可能な画像を観察者の肉眼に与え、画像ストリップがそれぞれの画像部分の種々のビューを画成し、このことによって、前記セキュリティ装置が前記二つのレンチキュラー装置のうちのいずれか一方の前記細長い方向に対して平行な軸線回りに傾けられると、前記それぞれの画像部分が横方向に動くように見えるのに対して、他方の画像部分が静止したままである、請求項１９に記載の方法。
【請求項２１】
前記二つのレンチキュラー装置が、互いに近接して構成され、好ましくは互いと当接する、請求項１７〜２０のいずれか１項に記載の方法。
【請求項２２】
請求項１〜１５のいずれか１項に記載のセキュリティ装置を製造するための請求項１７〜２１のいずれか１項に記載の方法。
【発明の詳細な説明】
【技術分野】
【０００１】
本発明は、セキュリティ装置に関し、例えば、紙幣、小切手、パスポート、ＩＤカード、内容証明書（certificate of authenticity)、収入印紙、及び価値を保護するための他の文書、又は個人ＩＤのような貴重品における使用のためのセキュリティ装置に関する。
【背景技術】
【０００２】
多くの種々の光学セキュリティ装置が公知であり、最も一般的な光学セキュリティ装置はホログラム及び他の回折型装置であり、これらはクレジットカード及びその均等物において見られることが多い。例えば欧州特許出願公開第１６９５１２１号明細書及び国際公開第９４／２７２５４号において記述されるようなモアレ拡大レンズ（moire magnifier）の形態においてセキュリティ装置を提供することも公知である。モアレ拡大レンズの欠点はアートワークがより制限されることであり、例えばアニメーション効果はモアレ拡大レンズでは不可能であるだろう。
【０００３】
例えば米国特許出願公開第４８９２３３６号明細書において記述されるように、いわゆるレンチキュラー装置がセキュリティ装置として使用されうることも知られてきた。この仕様は二種類のレンチキュラー効果すなわち傾き画像効果（tilt image effect）及び動画効果を記述し、傾き画像効果では装置が傾けられると色が変化し又は画像が観察され、動画効果では観察角度が変化すると画像が装置に沿って動くように見える。二つの効果は例えば一つのセキュリティスレッド（security thread）上において互いに組み合わされることができ、このため、観察角度が変化すると、二つの異なる効果が観察されうる。しかしながら、これら装置は未熟な観察者による検証が困難であった。
【発明の概要】
【０００４】
本発明の第１態様によれば、セキュリティ装置が少なくとも二つのレンチキュラー装置を具備し、各レンチキュラー装置は、画像ストリップ（image strip）のそれぞれの組の上に配設された細長いレンチキュラー合焦要素の配列（array）を有し、二つのレンチキュラー装置のレンチキュラー合焦要素が延在する細長い方向は異なる。
【０００５】
本発明の第２態様によれば、セキュリティ装置を製造する方法が少なくとも二つのレンチキュラー装置を提供することを含み、各レンチキュラー装置は、画像ストリップのそれぞれの組の上に配設された細長いレンチキュラー合焦要素の配列を有し、二つのレンチキュラー装置のレンチキュラー合焦要素が延在する細長い方向は異なる。
【０００６】
本発明は、使用者によって容易に検証されうるが製造するのが困難である単純だが安全な装置を提供する。レンチキュラー合焦要素の二つの配列の細長い方向が異なる方向に延在するので、装置が一方の方向と平行な軸線回りに傾けられると、レンチキュラー効果が対応するレンチキュラー装置から観察されるであろうが、他方からは効果が観察されず又は異なる効果が観察されるであろう。
【０００７】
このことは、二つの細長い方向が直交している場合に特に好都合である。この場合、装置が一方の装置の細長い軸線回りに傾けられると、他方の装置からレンチキュラー効果は観察されないであろう。
【０００８】
二つのレンチキュラー装置は、原理上セキュリティ装置上の任意の位置において配設されることができるが、好ましくは互いに近接して構成され、最も好ましくは互いと当接する。このことによって、レンチキュラー装置を配設することと、装置が異なる方向に傾けられるときにレンチキュラー装置が生じさせる効果を比較することとが容易になる。
【０００９】
この場合、特に好ましい例では、セキュリティ装置は二つのレンチキュラー装置を有し、二つのレンチキュラー装置は、垂直に観察されるとき、各レンチキュラー装置からの画像部分によって作り上げられた認識可能な画像を観察者の肉眼に与え、画像ストリップはそれぞれの画像部分の種々のビューを画成し、このことによって、セキュリティ装置がレンチキュラー装置のうちのいずれかの細長い方向に対して平行な軸線回りに傾けられると、それぞれの画像部分が横方向に動くように見え、一方、他の画像部分は静止したままである。
【００１０】
以下により詳細に説明されるように、この装置は、装置を検証すべく容易に観察可能であるが製造するのが困難であるという独特な効果を与える。
【００１１】
レンチキュラー合焦要素についての周期性ひいては最大基準直径（maximum base diameter）は、好ましくは５〜２００μｍ、より好ましくは１０〜６０μｍ、更により好ましくは２０〜４０μｍの範囲内である。レンチキュラー合焦要素についてのＦナンバーは、好ましくは０．２５〜１６、より好ましくは０．５〜２の範囲内である。
【００１２】
典型的にはレンチキュラー合焦要素はシリンドリカルレンズを具備する。しかしながら、マイクロミラーが使用されてもよい。
【００１３】
画像ストリップは基材上に単純に印刷されうるが、レリーフ構造（relief structure）を使用して画像ストリップを画成することも可能である。このことによって非常に薄い装置が構築されることができ、このことは、セキュリティ文書と共に使用されるときに特に有益である。
【００１４】
レリーフ構造はエンボス加工又は鋳型硬化（cast-curing）によって形成されうる。述べられた二つのプロセスのうち、鋳型硬化は複製のより高い忠実性を提供する。
【００１５】
多様な種々のレリーフ構造が、以下により詳細に記述されるように使用されうる。しかしながら、画像ストリップは単純に回折格子領域として画像をエンボス加工し／鋳型硬化させることによって生成されうる。画像の異なる部分が、異なる回折色を備えた領域を提供する格子の異なるピッチ又は異なる方向の使用によって識別されうる。代替的な（且つ／又は追加の識別化）画像構造が、モスアイ（moth-eye）のような反射防止構造（例えば国際公開第２００５／１０６６０１号参照）、０次回折構造、アステカ構造（Aztec structure）として知られている段状表面のレリーフ光学構造（例えば国際公開第２００５／１１５１１９号参照）又は単純な散乱構造である。最も多くの用途について、これら構造は明るさ及びコントラストを高めるべく部分的に又は完全に金属化されうる。
【００１６】
典型的には、各画像ストリップの幅は、５０μｍ未満、好ましくは２０μｍ未満、最も好ましくは５〜１０μｍの範囲内である。
【００１７】
本発明に係るセキュリティ装置の典型的な厚みは、２〜１００μｍ、より好ましくは１〜５０μｍのレンズ高さと共に２０〜５０μｍ、最も好ましくは５〜２５μｍである。レンチキュラー合焦要素についての周期性ひいては最大基準直径は、好ましくは５〜２００μｍ、より好ましくは１０〜６０μｍ、更により好ましくは２０〜４０μｍの範囲内である。レンチキュラー合焦要素についてのＦナンバーは、好ましくは０．２５〜１６、より好ましくは０．５〜２の範囲内である。レリーフ深さはレリーフを形成するのに使用される方法に依存し、ここで、レリーフが回折格子によって提供される場合、その深さは典型的には０．０５〜１μｍの範囲内であり、粗い非回折レリーフ構造が使用される場合、レリーフ深さは、好ましくは０．５〜１０μｍ、更により好ましくは１〜５μｍの範囲内である。
【００１８】
セキュリティ装置は画像構造の一部又は追加層として金属化層を具備することができる。好ましくは、斯かる層は多数の場所において選択的に脱金属化される。加えて、装置は金属化層上にレジスト層を更に具備することができる。金属化層及び／又はレジスト層は好ましくは認証部（indicia）として構成される。
【００１９】
装置が機械可読であるように構成されることも好ましい。このことは多数の態様において実現されうる。例えば装置の少なくとも一つの層が（光学的に別個の層として）機械可読材料を更に含むことができる。好ましくは、機械可読材料はマグネタイトのような磁気材料である。機械可読材料は外的刺激に対して反応しうる。さらに、機械可読材料が層内に形成されるとき、この層は透明であってもよい。
【００２０】
セキュリティ装置は、多くの異なる用途において、例えば価値ある物への取付けによって使用されうる。好ましくは、セキュリティ装置はセキュリティ文書に付着され又はセキュリティ文書内に実質的に含まれる。このため、セキュリティ装置は斯かる文書の表面に取り付けられ又は文書内に部分的に埋め込まれてもよい。セキュリティ装置はセキュリティ文書との使用のために様々な種々の形態をとることができ、これらは、限定されるものではない例として、セキュリティスレッド、セキュリティ繊維、セキュリティパッチ、セキュリティストリップ、セキュリティストライプ又はセキュリティ箔を含む。
【図面の簡単な説明】
【００２１】
【図１】図１は、公知のレンチキュラー装置を通した概略的な断面である。
【図２】図２は、図１の公知のレンチキュラー装置の修正形態の上からの斜視図である。
【図３】図３は、異なる傾き角度における図２の装置の外観を示す。
【図４】図４は、ホログラフィック装置と組み合わされたレンチキュラー装置の例を示す。
【図５】図５は、ホログラフィック装置と組み合わされたレンチキュラー装置の例を示す。
【図６】図６は、本発明に係る別の例を通した断面である。
【図７】図７は、種々の観察角度における本発明に係る装置の別の例の外観を示す。
【図７Ａ】図７Ａは、種々の観察角度における本発明に係る装置の別の例の外観を示す。
【図７Ｂ】図７Ｂは、種々の観察角度における本発明に係る装置の別の例の外観を示す。
【図７Ｃ】図７Ｃは、種々の観察角度における本発明に係る装置の別の例の外観を示す。
【図７Ｄ】図７Ｄは、種々の観察角度における本発明に係る装置の別の例の外観を示す。
【図７Ｅ】図７Ｅは、種々の観察角度における本発明に係る装置の別の例の外観を示す。
【図７Ｆ】図７Ｆは、種々の観察角度における本発明に係る装置の別の例の外観を示す。
【図７Ｇ】図７Ｇは、種々の観察角度における本発明に係る装置の別の例の外観を示す。
【図７Ｈ】図７Ｈは、種々の観察角度における本発明に係る装置の別の例の外観を示す。
【図８】図８Ａ〜Ｉは、本発明に係る画像ストリップを画成するレリーフ構造の種々の例を示す。
【発明を実施するための形態】
【００２２】
本発明に係るセキュリティ装置及び方法のいくつかの例が、以下、添付の図面を参照して記述され且つ公知の装置と対比される。公知のレンチキュラー装置が図１〜３において示される。図１は、画像Ａ〜Ｇを観察するのに使用される公知のレンチキュラー装置を通した断面を示す。シリンドリカルレンズ２の配列が透明基材４上に構成される。各画像が多数の（例えば１０個の）ストリップ内にセグメント化され、画像Ａ〜Ｇの特定のセグメント化された領域に対応する一組の画像ストリップがレンチキュラー配列の各レンズ２の下に存在する。第１レンズの下のストリップは各々画像Ａ〜Ｇの第１セグメントに対応し、次のレンズの下のストリップは各々画像Ａ〜Ｇの第２セグメントに対応し、その後も同様である。各レンズ２は、一つのみのストリップが一つの観察位置から各レンズ２を通して観察されうるようにストリップの平面内に焦点を合わせるように構成される。任意の観察角度において、画像（Ａ、Ｂ、Ｃ等）のうちの一つに対応するストリップのみが、対応するレンズを通して見られるであろう。示されるように、画像Ｄの各ストリップが直線上から見られるのに対して、画像Ｃ又はＥからのストリップは、軸線から数度ずらされて傾けられたときに見られるであろう。
【００２３】
ストリップは画像の薄片として構成され、すなわちストリップＡは全て一つの画像からの薄片であり、Ｂ、Ｃ等についても同様である。結果として、装置が傾けられると、一連の画像が見られるであろう。一連の画像は関連付けられ又は関連付けられなくてもよい。最も単純な装置は、装置が傾けられると互いの間で反転する二つの画像を有するであろう。代替的に、画像は、画像が動くように見えるようにレンチキュラーアニメーション効果を発生させるべくストリップからストリップへ横方向にずらされる一連の画像であってもよい。同様に画像から画像への変化はより複雑なアニメーション（画像の一部が準連続形態において変化する）、モーフィング（一つの画像が小ステップにおいて別の画像に変形する）又はズーミング（画像がステップにおいて大きくなり又は小さくなる）を生じさせうる。
【００２４】
図２は斜視図におけるレンチキュラー装置を示すが、単純化のためにレンズに付き二つの画像ストリップのみが示され且つそれぞれＡ、Ｂが付される。図２において示される装置の観察者に対する外観が図３において示される。このとき、装置がその頂部が前方に傾けられた状態（ビューＴＴＦ）で構成されると、画像ストリップＡが見られ、一方、装置がその底部が前方に傾けられた状態（ビューＢＴＦ）で構成されると、その後画像ストリップＢが見られるであろう。
【００２５】
図４は、互いに対して９０°に向けられ且つ（図１及び２と同様の態様において）それぞれの画像ストリップの上に配設される二組のシリンドリカルマイクロレンズ配列が存在する本発明に係る第１の例を示す。この実施形態では、レンチキュラー装置Ａは、軸線Ｂ−Ｂ回りに東西方向に傾けられると、線Ａ−Ａに沿って動くＶ字模様の画像を作り出すべくその画像ストリップと結合するように、南北方向に延在するマイクロレンズ２００を有し、各装置は、矢印２２１Ａ、２２１Ｂによって示される相互に反対の方向に動くＶ字模様を生成する。レンチキュラー装置Ｂは、軸線Ａ−Ａ回りに南北方向に傾けられると、線Ｂ−Ｂに沿って動くＶ字模様の画像を生成すべくその画像ストリップと結合するように、東西方向に延在するマイクロレンズ２１０を有し、各装置は、相互に反対の方向に動くＶ字模様を生成する。この例では、軸線Ａ−Ａに沿って離間された２つのレンチキュラー装置Ａと、軸線Ｂ−Ｂに沿って離間された２つのレンチキュラー装置Ｂとが存在する。一対のレンチキュラー装置Ａ、Ｂはそれぞれのコーナーにおいて当接する。加えて、５つのホログラフィック発生構造（holographic generating structure）２２０、２２２、２２４、２２６、２２８がレンチキュラー装置ＡとＢとの間に画成された空間において配設される。
【００２６】
図４における例では、セキュリティ装置が、小型シリンドリカルレンズ２００、２１０の曲率が周期的に変動する方向に対して垂直な軸線の周りで傾けられるときにのみそれぞれのレンチキュラーアニメーションが生じることが理解されるべきである。この場合、装置を水平方向に横切るＶ字模様のレンチキュラーアニメーションは、装置が線Ｂ−Ｂの周りで傾けられるときに線Ａ−Ａに沿って生じるであろう。逆に、装置を鉛直方向に横切るＶ字模様のレンチキュラーアニメーションは、装置が線Ａ−Ａの周りで傾けられるときに線Ｂ−Ｂに沿って生じるであろう。アニメーション自体は任意の方向において起こることができ且つ純粋にアートワークに依存する。
【００２７】
図４におけるホログラフィック発生構造２２０〜２２８はホログラム又はＤＯＶＩＤ画像要素の形態でありうる。示されるラベル構成（label construction）では、ホログラフィック装置及びレンチキュラー装置は別個の領域に存在するが、この例は単に説明のためにあり、例えばホログラフィック発生構造２２０〜２２８が中央の帯又はストリップにおいて配設され、レンチキュラー装置Ａ、Ｂが両側の一つ以上の領域において配設されうることが理解されるべきである。代替的に、レンチキュラー装置によって提供される画像と、ホログラフィック発生構造によって提供される画像とは、各々単一画像の構成要素を提供することによって単一画像に統合されてもよい。
【００２８】
好ましい実施形態では、シリンドリカルマイクロレンズ配列及びマイクロ画像ストリップは、少なくとも一つのレンチキュラー装置について、小型シリンドリカルレンズの曲率が周期的に変動する方向がｘ軸（図４における線Ａ−Ａ）若しくはｙ軸（図４における線Ｂ−Ｂ）に対して４５°に位置し又は有利とみなされうる角度の間の任意の角度に位置するように構成される。いくつかの装置では、文書が南北方向又は東西方向にのみ傾けられがちであり、装置が全ての傾きで動くように見えうるので、４５°の角度が特に有利である。斯かる装置が図５において示され、ここでは、二組のシリンドリカルマイクロレンズ配列２００、２１０は、互いに対して９０°に向けられるが、両方ともセキュリティ装置のｘ軸及びｙ軸に対して４５°にも向けられる。ｘ軸又はｙ軸の周りで装置を傾けると、両方のレンチキュラー装置はアニメーションを呈し、この場合、各々の装置からのＶ字模様は装置の中心に向かって動くように見えるであろう。
【００２９】
図６は、４つの画像ストリップＡ〜Ｄを具備する本発明における使用に適切なレンチキュラー装置の例を示し、４つの画像ストリップＡ〜Ｄは、レンチキュラーアニメーション効果を生成すべく同一画像の異なるビューである。この例では、ストリップの画像領域は、透明なＰＥＴスペーサ層２４上に設けられた樹脂層２６において一連の隆起領域又は隆起部を生成することによって生成される。シリンドリカルレンズ配列２０は層２４上の樹脂層２１内に鋳型硬化せしめられ又はエンボス加工される。その後、着色されたインクが、典型的にはリソグラフィックプロセス、フレキソ印刷プロセス又はグラビア印刷プロセスを使用して隆起領域上に転写される。図６において示される例では、画像ストリップＡ及びＢは第１の色２７で印刷され、画像ストリップＣ及びＤは第２の色２８で印刷される。また、この態様では、装置がレンチキュラーアニメーション効果を生成すべく傾けられるとき、観察者がビューＢからビューＣに動くと、色が変化する画像が見られるであろう。異なる例では、全てのストリップＡ〜Ｄが、装置の第１領域において第１の色であり、その後、装置の第２領域において異なる色である。
【００３０】
更なる実施形態では、ストリップの画像要素が回折格子から形成されるとき、このとき、一つのストリップ又は異なるストリップ内の異なる画像要素が異なる格子によって形成されうる。格子のピッチ又は回転において違いがあってもよい。このことは、複数の色の回折画像を実現するのに使用されることができ、複数の色の回折画像はアニメーションのようなレンチキュラー光学効果も呈するであろう。例えば、図４において示される例においてレンチキュラー装置ＡについてＶ字模様を生成する画像ストリップが、各ストリップについて異なる回折トラック（diffraction track）を書くことによって生成される場合、その後、図４における装置が線Ｂ−Ｂの周りで傾けられると、Ｖ字模様の色が種々の回折格子によって徐々に変化する間、Ｖ字模様のレンチキュラーアニメーションが生じるであろう。斯かる格子を書くための好ましい方法が電子ビーム書き込み技術又はドットマトリックス技術（dot matrix technique）を使用することであるだろう。
【００３１】
図７及び図７Ａ〜７Ｈは、本発明に係る別の例を示す。この例では、二つのレンチキュラー装置３０、４０は互いに当接して設けられ、各々は、図１〜３において示された形態と同様の形態を有する。レンチキュラー装置３０は、図７において水平方向に延在するシリンドリカルレンズ３２を有し、一方、レンチキュラー装置４０は、鉛直方向に延在しひいてはレンズ３２に直交するシリンドリカルレンズを有する。
【００３２】
レンズ３２の下の画像ストリップは、レンチキュラー装置３０がレンズ３２に対して平行な軸線回りに傾けられると記号「１０」の半部分３４が上下に又はレンチキュラー装置間の当接点から離れて若しくは当接点に向かって動くように見えるような態様において、数字「１０」の上側半部分３４を画成する。これら動きは図７Ａ及び図７Ｂにおいてそれぞれ示される。
【００３３】
レンチキュラーレンズ４２の下では、画像ストリップは、装置がレンズ４２の軸線回りに傾けられると下部４４が左右にそれぞれ動く（図７Ｃ及び７Ｄ）ように、４４で示されるような記号「１０」の下側半部分を表すように画成される。
【００３４】
概して、画像ストリップがレンズに登録される（registered）が、このことは必須ではない。
【００３５】
図７は、図７Ｅ〜７Ｈそれぞれにおいて、上及び左又は右に傾く効果、並びに下及び左又は右に傾く効果も示す。
【００３６】
装置を単純に傾けることと、予め定められた単純な態様において記号「１０」であるように見えるものがその後分割されることを観察することによってセキュリティ効果の存在を判別することが容易であることが図７及び図７Ａ〜７Ｈから容易に分かるであろう。
【００３７】
図７において示される例では、記号「１０」は装置が垂直に観察されるときに完全である。しかしながら、画像とレンズとの間の登録（registration）は、装置が傾けられるときに別の観察条件において記号「１０」が完全であるように調整されうる。
【００３８】
典型的には、画像ストリップは公知の方法で印刷され、一方、シリンドリカルレンズは適切な樹脂層内にエンボス加工され又は鋳型硬化せしめられる。しかしながら、画像ストリップはレリーフ構造として形成されることもでき、画像ストリップに適切な多様な種々のレリーフ構造が図８において示される。
【００３９】
このため、図８Ａはエンボス加工された線又は凹み線の形態におけるストリップの画像領域（ＩＭ）を示し、一方、エンボス加工されていない線はストリップの非画像領域（ＮＩ）に対応する。図８Ｂは、デボス加工された線又は隆起部の形態におけるストリップの画像領域を示す。
【００４０】
別のアプローチでは、レリーフ構造は回折格子（図８Ｃ）又はモスアイ格子（moth-eye grating）／ファインピッチ格子（図８Ｄ）の形態であってもよい。
【００４１】
図８Ａの凹部及び図８Ｂの隆起部には、図８Ｅ及び８Ｆにおいてそれぞれ示されるように、格子が更に設けられうる。
【００４２】
図８Ｇは、色消し効果（achromatic effect）を提供する単純な散乱構造の使用を示す。
【００４３】
さらに、上記に説明されるように、いくつかの場合、図８Ａの凹部にはインクが提供され、又はデボス加工された領域若しくは隆起部にはインクが提供されうる。後者は図８Ｈにおいて示され、図８Ｈではインク層１００が隆起部１１０上に設けられる。
【００４４】
図８Ｉはアステカ構造の使用を示す。
【００４５】
代替的に、画像領域及び非画像領域が種々の要素タイプの組合せによって画成され、例えば画像領域がモスアイ構造から形成され、一方、非画像領域が格子から形成されてもよい。また更には、画像領域及び非画像領域は異なるピッチ又は方向の格子によって形成されてもよい。
【００４６】
隆起部／凹部の高さ又は深さは、好ましくは０．５〜１０μｍの範囲内であり、より好ましくは１〜５μｍの範囲内である。隆起部／凹部の典型的な幅は、アートワークの性質によって定義されるであろうが、典型的には１００μｍ未満であり、より好ましくは５０μｍ未満であり、更により好ましくは２５μｍ未満である。画像ストリップの幅ひいては隆起部又は凹部の幅は必要とされる光学効果のタイプに依存し、例えば合焦要素の直径が３０μｍである場合、このとき、二つのビューＡとＢとの間の単純な切り換え効果が１５μｍ幅の画像ストリップを使用して実現されうる。代替的に、滑らかなアニメーション効果のために、典型的には少なくとも３個であるが理想的には３０個のできるだけ多くのビューを有することが好ましく、この場合、画像ストリップ（及び関連付けられた隆起部又は凹部）の幅は０．１〜６μｍの範囲内であるべきである。
【００４７】
レリーフ構造の場合、これらは、シリンドリカルレンズとは反対側の基材上の適切な樹脂層内にエンボス加工され又は鋳型硬化せしめられるであろう。
【００４８】
レンチキュラー合焦要素がシリンドリカルレンズを参照して記述されるが、他の適切な要素がマイクロミラーを含む。
【００４９】
いくつかの層における検出可能材料の導入又は別個の機械可読層（machine-readable layer）の導入によって、本発明のセキュリティ装置は機械可読にされうる。外的刺激に反応する検出可能材料は、限定されるものではないが、蛍光材料、燐光材料、赤外線吸収材料、サーモクロミック材料、フォトクロミック材料、磁気材料、エレクトロクロミック材料、導電性材料及びピエゾクロミック材料を含む。
【００５０】
本発明のセキュリティ装置は任意の所望の印刷画像又は金属層のような追加のセキュリティ要素も具備することができ、これら追加のセキュリティ要素は不透明であり、半透明であり又は遮蔽されうる。斯かる金属層は、公知の脱金属プロセスによって生成される負又は正の認証部を含むことができる。
【００５１】
追加の光学可変材料が、薄いフィルム干渉要素（film interference element）、液晶材料及びフォトニック結晶材料のようなセキュリティ装置において含まれうる。斯かる材料は、フィルム層の形態であり、又は印刷による用途に適切な色素材料として存在しうる。
【００５２】
金属層の存在は機械可読な暗い磁気層の存在を隠すのに使用されうる。磁気材料が装置内に組み込まれるとき、磁気材料が任意の設計において適用されうるが、通常の例はコード構造を形成すべく磁気トラムライン（magnetic tramline）又は磁気ブロック（magnetic block）の使用を含む。適切な磁気材料は、酸化鉄顔料（Ｆｅ2Ｏ3又はＦｅ3Ｏ4）、バリウムフェライト、ストロンチウムフェライト、鉄、ニッケル、コバルト及びこれらの合金を含む。この文脈では、「合金」との用語は、ニッケル・コバルト、鉄・アルミニウム・ニッケル・コバルト及びこれらの均等物のような材料を含む。フレークニッケル材料が使用されることができ、加えて鉄フレーク材料が適切である。典型的なニッケルフレークは５〜５０μｍの範囲内の横寸法及び２μｍ未満の厚みを有する。典型的な鉄フレークは１０〜３０μｍの範囲内の横寸法及び２μｍ未満の厚みを有する。
【００５３】
代替的な機械可読の実施形態では、透明な磁気層が装置構造内の任意の位置において組み込まれうる。適切な透明な磁気層は、所定の大きさの磁気材料の粒子の分布を含み、磁気層が透明のままである濃度において分配され、国際公開第０３０９１９５３号及び国際公開第０３０９１９５２号において記述される。
【００５４】
更なる例では、本発明のセキュリティ装置は、装置が文書の透明領域において組み込まれるように、セキュリティ文書において組み込まれうる。セキュリティ文書は、紙及びポリマーを含む任意の従来の材料から形成された基材を有することができる。これらタイプの基材の各々において透明領域を形成するための技術が当該技術分野において公知である。例えば国際公開第８３００６５９号は、基材の両側に不透明化コーティング（opacifying coating）を具備する透明基材から形成されたポリマー紙幣を記述する。不透明化コーティングは、透明領域を形成すべく基材両側の局所的な領域において省かれる。
【００５５】
欧州特許第１１４１８０号明細書は、紙の基材において透明領域を作る方法を記述する。紙の基材において透明領域を形成するための他の方法が、欧州特許第０７２３５０１号明細書、欧州特許第０７２４５１９号明細書、欧州特許第１３９８１７４号明細書及び国際公開第０３０５４２９７号において記述される。
【図１】
0005922580.tif 000002
【図２】
0005922580.tif 000003
【図３】
0005922580.tif 000004
【図４】
0005922580.tif 000005
【図５】
0005922580.tif 000006
【図６】
0005922580.tif 000007
【図７】
0005922580.tif 000008
【図７Ａ】
0005922580.tif 000009
【図７Ｂ】
0005922580.tif 000010
【図７Ｃ】
0005922580.tif 000011
【図７Ｄ】
0005922580.tif 000012
【図７Ｅ】
0005922580.tif 000013
【図７Ｆ】
0005922580.tif 000014
【図７Ｇ】
0005922580.tif 000015
【図７Ｈ】
0005922580.tif 000016
【図８】
0005922580.tif 000017